【手続補正書】
【提出日】平成19年6月12日(2007.6.12)
【手続補正１】
【補正対象書類名】明細書
【補正対象項目名】発明の名称
【補正方法】変更
【補正の内容】
【発明の名称】電子機器
【手続補正２】
【補正対象書類名】明細書
【補正対象項目名】特許請求の範囲
【補正方法】変更
【補正の内容】
【特許請求の範囲】
【請求項１】
複数の操作用のキーがケース本体に取り付けられた電子機器において、
透過性材料で形成されるキー本体と、このキー本体に形成される第１の表示と、前記キー本体に被着される前記キー本体より透過率が劣る半透過性膜と、この半透過性膜上に形成される第２の表示と、選択的に発光して光を前記キー本体を通して前記半透過性膜を透過させて前記第１の表示及び第２の表示を前記キー本体上に表示させる発光体とを具備して構成したことを特徴とする電子機器。
【請求項２】
第１の表示を、前記キー本体の基端部に形成して、前記キー本体の先端部に前記半透過性膜に形成して、該半透過性膜上に前記第２の表示を形成したことを特徴とする請求項１記載の電子機器。
【請求項３】
第１の表示を、前記キー本体の先端部に形成して、該第１の表示を含む前記キー本体の先端部に前記半透過性膜を被着し、この半透過性膜上に前記第２の表示を形成したことを特徴とする請求項１記載の電子機器。
【請求項４】
複数の操作用のキーがケース本体に取り付けられた電子機器において、
透過性材料で形成されるキー本体と、このキー本体に紫外線光が照射されると、発光する蛍光塗料インクで印刷形成される第１の表示と、この第１の表示に並設して紫外線光が照射されても発光しない非蛍光塗料インクで印刷形成される第２の表示と、選択的に紫外線光を発光して前記第１の表示に照射して該第１の表示を発光表示させる紫外線発光体とを具備して構成したことを特徴とする電子機器。
【請求項５】
さらに、選択的に発光して前記第２の表示を照射して該第２の表示を発光表示させる発光体を具備して構成したことを特徴とする請求項４記載の電子機器。
【請求項６】
複数の操作用のキーがケース本体に取り付けられた電子機器において、
透過性材料で形成されるキー本体と、このキー本体に形成される表示と、前記キー本体に被着される前記キー本体より透過率が劣る半透過性膜と、選択的に発光して光を前記キー本体を通して前記半透過性膜を透過させて前記表示を前記キー本体上に表示させる発光体とを具備して構成したことを特徴とする電子機器。
【請求項７】
複数の操作用のキーがケース本体に取り付けられた電子機器において、
透過性材料で形成されるキー本体と、このキー本体に紫外線光が照射されると、発光する蛍光塗料インクで印刷形成される表示と、選択的に紫外線光を発光して前記表示に照射して該表示を発光表示させる紫外線発光体とを具備して構成したことを特徴とする電子機器。
【手続補正３】
【補正対象書類名】明細書
【補正対象項目名】０００１
【補正方法】変更
【補正の内容】
【０００１】
【発明の属する技術分野】
この発明は、例えば携帯電話等の電子機器に関する。
【手続補正４】
【補正対象書類名】明細書
【補正対象項目名】０００２
【補正方法】変更
【補正の内容】
【０００２】
【従来の技術】
一般に、無線電話装置は、図１０に示すようにケース本体１０が分離組立可能な第１及び第２のケース１０１、１０２で構成され、これら第１及び第２のケース１０１、１０２内には、印刷配線基板１１がシールドケース１２を介して収容される。そして、この印刷配線基板１１上には、キー基板１３及びキーラバー１４が順に積重配置される。このキーラバー１４には、複数の操作用のキー１が、キー基板１３のスイッチ接点に対応して設けられ、これら操作キー１が上記ケース本体１０の第１のケース１０１に設けられるキー窓１０３から操作可能に露出される。
【手続補正５】
【補正対象書類名】明細書
【補正対象項目名】０００９
【補正方法】変更
【補正の内容】
【０００９】
この発明は上記の事情に鑑みてなされたもので、小形化を確保したうえで、操作キーに形成される表示の容易な認識を実現し得るようにした電子機器を提供することを目的とする。
【手続補正６】
【補正対象書類名】明細書
【補正対象項目名】００１０
【補正方法】変更
【補正の内容】
【００１０】
【課題を解決するための手段】
この発明は、複数の操作用のキーがケース本体に取り付けられた電子機器において、透過性材料で形成されるキー本体と、このキー本体に形成される第１の表示と、前記キー本体に被着される前記キー本体より透過率が劣る半透過性膜と、この半透過性膜上に形成される第２の表示と、選択的に発光して光を前記キー本体を通して前記半透過性膜を透過させて前記第１の表示及び第２の表示を前記キー本体上に表示させる発光体とを備えて構成したものである。
【手続補正７】
【補正対象書類名】明細書
【補正対象項目名】００１２
【補正方法】変更
【補正の内容】
【００１２】
また、この発明は、複数の操作用のキーがケース本体に取り付けられた電子機器において、透過性材料で形成されるキー本体と、このキー本体に紫外線光が照射されると、発光する蛍光塗料インクで印刷形成される第１の表示と、この第１の表示に並設して紫外線光が照射されても発光しない非蛍光塗料インクで印刷形成される第２の表示と、選択的に紫外線光を発光して前記第１の表示に照射して該第１の表示を発光表示させる紫外線発光体とを備えて構成したものである。
【手続補正８】
【補正対象書類名】明細書
【補正対象項目名】００１５
【補正方法】変更
【補正の内容】
【００１５】
図１は、この発明の一実施の形態に係る電子機器を適用した無線電話装置の操作用のキー２０を取り出して示すもので、このキー２０は、例えば前記図１０に示すキーラバー１４に複数個がそれぞれ操作可能に並設配置された中の一つのマルチファンクションキーを構成する。ここで、図１においては、前記図１０と同一部分について同一符号を付してその説明については省略する。
【手続補正９】
【補正対象書類名】明細書
【補正対象項目名】００３１
【補正方法】変更
【補正の内容】
【００３１】
【発明の効果】
以上詳述したように、この発明によれば、小形化を確保したうえで、操作キーに形成される表示の容易な認識を実現し得るようにした電子機器を提供することができる。
【手続補正１０】
【補正対象書類名】明細書
【補正対象項目名】図面の簡単な説明
【補正方法】変更
【補正の内容】
【図面の簡単な説明】
【図１】
この発明の一実施の形態に係る電子機器の操作キーを取り出して示した断面図である。
【図２】
図１の第２の機能表示の表示状態を示した図である。
【図３】
図１の第１及び第２の機能表示の双方の表示状態を示した図である。
【図４】
この発明の他の実施の形態に係る電子機器の操作キーを取り出して示した断面図である。
【図５】
図４の第２の機能表示の表示状態を示した図である。
【図６】
図４の第１及び第２の機能表示の双方の表示状態を示した図である。
【図７】
この発明の他の実施の形態に係る電子機器の操作キーを取り出して示した断面図である。
【図８】
図７の第２の機能表示の表示状態を示した図である。
【図９】
図７の第１及び第２の機能表示の双方の表示状態を示した図である。
【図１０】
この発明の適用される電子機器の概略構成を説明するために示した分解斜視図である。
【図１１】
従来の操作キーの構成を説明するために示した断面図である。
【図１２】
図１１の第１及び第２の機能表示の表示状態を示した図である。
【符号の説明】
１０  …  ケース本体。
１０１  …  第１のケース。
１０２  …  第２のケース。
１０３  …  キー窓。
１０４  …  表示窓。
１１  …  印刷配線基板。
１２  …  シールドケース。
１３  …  キー基板。
１４  …  キーラバー。
２０  …  操作用のキー。
２１  …  キー本体。
２２  …  第１の機能表示。
２３  …  半透過性膜。
２４  …  第２の機能表示。
２５  …  発光ダイオード。
２６  …  駆動制御部。
３０  …  第１の機能表示。
３１  …  キー本体。
３２  …  半透過性膜。
３３  …  第２の機能表示。
３４  …  発光ダイオード。
３５  …  駆動制御部。
４０  …  キー本体。
４１  …  第１の機能表示。
４２  …  第２の機能表示。
４３  …  紫外線発光ダイオード。
４４  …  発光ダイオード。
４５  …  駆動制御部。